(57)【要約】  本発明は、吸込口３及び吹出口４、５を開口する筐体２と、吸込口３と吹出口４、５とを連結する空気通路８と、空気通路８内に配される送風機１０と、吸込口３に面して配されるプレフィルタ６と、複数のタッチキー３０ｂ〜３０ｍ及び各タッチキー３０ｂ〜３０ｍに対応する複数の光源３４を有した操作パネル３０とを備え、送風機１０の駆動により空気清浄運転を行う空気清浄機１において、筐体２に人の有無を検知する人体検知部１０５を設け、所定の第１群のタッチキー３０ｍのＬＥＤ３４が人体検知部１０５により人を検知しないときに消灯して人を検知したときに点灯又は点滅する。
2018189924.tif 000002
【特許請求の範囲】
【請求項１】
吸込口及び吹出口を開口する筐体と、前記吸込口と前記吹出口とを連結する空気通路と、前記空気通路内に配される送風機と、前記吸込口に面して配されるフィルタと、複数のタッチキー及び各前記タッチキーに対応する複数の光源を有した操作パネルとを備え、前記送風機の駆動により空気清浄運転を行う空気清浄機において、
前記筐体に人の有無を検知する人体検知部を設け、所定の第１群の前記タッチキーの前記光源が前記人体検知部により人を検知しないときに消灯して人を検知したときに点灯又は点滅することを特徴とする空気清浄機。
【請求項２】
無線通信を行う通信部を備え、前記第１群と異なる第２群の前記タッチキーの前記光源が常時点灯し、前記第２群の前記タッチキーが前記通信部による通信可否を指示する通信キーを含むことを特徴とする請求項１に記載の空気清浄機。
【請求項３】
前記第１群と異なる第２群の前記タッチキーの前記光源が常時点灯し、前記第２群の前記タッチキーが前記空気清浄運転の開始及び停止を指示するスタートキーを含むことを特徴とする請求項１に記載の空気清浄機。
【請求項４】
前記光源を点灯した前記タッチキーが操作された際に、前記光源の光量を増加させることを特徴とする請求項１〜請求項３のいずれかに記載の空気清浄機。
【請求項５】
所定の前記タッチキーが短押し時と異なる機能を長押し時に割り当てられ、長押し時に前記光源を点滅させることを特徴とする請求項１〜請求項４のいずれかに記載の空気清浄機。
【請求項６】
前記第１群の前記タッチキーの操作により前記光源が点灯される第３群の前記タッチキーを有することを特徴とする請求項１〜請求項５のいずれかに記載の空気清浄機。
【請求項７】
前記操作パネルが表示用光源の点灯により表示される通知部を有し、前記表示用光源が前記人体検知部により人を検知しないときに消灯して人を検知したときに点灯又は点滅することを特徴とする請求項１〜請求項６のいずれかに記載の空気清浄機。
【発明の詳細な説明】
【技術分野】
【０００１】
本発明は、タッチキーを備えた空気清浄機に関する。
【背景技術】
【０００２】
特許文献１には従来の空気清浄機が開示されている。この空気清浄機は吸込口及び吹出口を開口する筐体を有する。筺体の上部には静電容量式のタッチキーを配した操作パネルが設けられている。筐体内には吸込口と吹出口とを連結する空気通路が設けられ、空気通路内には送風機が配される。吸込口に面してフィルタが配される。【０００３】
上記構成の空気清浄機において、運転が開始されると、送風機が駆動されて吸込口から居室内の空気が吸い込まれる。吸込口から吸い込まれた空気はフィルタにより塵埃が捕集された後に吹出口から送出される。これにより、居室内の空気清浄を行うことができる。
【先行技術文献】
【特許文献】
【０００４】
【特許文献１】特開２０１７−５８０４１号公報（第５頁〜第９頁、第２図）
【発明の概要】
【発明が解決しようとする課題】
【０００５】
静電容量式のタッチキーを有した操作パネルは一般に、各タッチキーに対応する複数の光源を有し、タッチキーと光源との間に文字等を透過可能に設けたシートが配される。光源の点灯によりタッチキーが視認可能に表示され、使用者が操作パネル上の所望のタッチキーを認識して操作入力を行うことができる。【０００６】
しかしながら、上記従来の空気清浄機によると、タッチキーの光源が常時点灯するため、空気清浄機の消費電力が高くなる問題があった。【０００７】
本発明は、消費電力を低減できる空気清浄機を提供することを目的とする。
【課題を解決するための手段】
【０００８】
上記目的を達成するために本発明は、吸込口及び吹出口を開口する筐体と、前記吸込口と前記吹出口とを連結する空気通路と、前記空気通路内に配される送風機と、前記吸込口に面して配されるフィルタと、複数のタッチキー及び各前記タッチキーに対応する複数の光源を有した操作パネルとを備え、前記送風機の駆動により空気清浄運転を行う空気清浄機において、前記筐体に人の有無を検知する人体検知部を設け、所定の第１群の前記タッチキーの前記光源が前記人体検知部により人を検知しないときに消灯して人を検知したときに点灯又は点滅することを特徴としている。【０００９】
また、本発明は、上記構成の空気清浄機において、無線通信を行う通信部を備え、前記第１群と異なる第２群の前記タッチキーの前記光源が常時点灯し、前記第２群の前記タッチキーが前記通信部による通信可否を指示する通信キーを含むと好ましい。【００１０】
また、本発明は、上記構成の空気清浄機において、前記第１群と異なる第２群の前記タッチキーの前記光源が常時点灯し、前記第２群の前記タッチキーが前記空気清浄運転の開始及び停止を指示するスタートキーを含むと好ましい。【００１１】
また、本発明は、上記構成の空気清浄機において、前記光源を点灯した前記タッチキーが操作された際に、前記光源の光量を増加させると好ましい。【００１２】
また、本発明は、上記構成の空気清浄機において、所定の前記タッチキーが短押し時と異なる機能を長押し時に割り当てられ、長押し時に前記光源を点滅させると好ましい。【００１３】
また、本発明は、上記構成の空気清浄機において、前記第１群の前記タッチキーの操作により前記光源が点灯される第３群の前記タッチキーを有すると好ましい。【００１４】
また、本発明は、上記構成の空気清浄機において、前記操作パネルが表示用光源の点灯により表示される通知部を有し、前記表示用光源が前記人体検知部により人を検知しないときに消灯して人を検知したときに点灯又は点滅すると好ましい。
【発明の効果】
【００１５】
本発明によると、空気清浄機の筐体に人の有無を検知する人体検知部を設け、所定の第１群のタッチキーの光源が人体検知部により人を検知しないときに消灯して人を検知したときに点灯又は点滅する。これにより、人体検知部が人を検知しない場合に第１群のタッチキーの光源を消灯し、空気清浄機の消費電力を低減することができる。
【図面の簡単な説明】
【００１６】
【図１】本発明の第１実施形態の空気清浄機を示す正面図
【図２】本発明の第１実施形態の空気清浄機を示す側面断面図
【図３】本発明の第１実施形態の空気清浄機を示すブロック図
【図４】本発明の第１実施形態の空気清浄機の操作パネルを示す平面図
【図５】本発明の第１実施形態の空気清浄機の通知領域を示す側面断面図
【図６】本発明の第１実施形態の空気清浄機のタッチキーを示す側面断面図
【図７】本発明の第１実施形態の空気清浄機の操作パネルの表示パターンを示す平面図
【図８】本発明の第２実施形態の空気清浄機の操作パネルを示す平面図
【図９】本発明の第２実施形態の空気清浄機の操作パネルの表示パターンを示す平面図
【図１０】本発明の第３実施形態の空気清浄機の操作パネルの表示パターンを示す平面図
【発明を実施するための形態】
【００１７】
＜第１実施形態＞
以下に図面を参照して本発明の実施形態を説明する。図１及び図２は第１実施形態の空気清浄機の正面図及び側面断面図を示している。なお、矢印Ｓは空気の流れを示している。空気清浄機１は吸込口３及び吹出口４、５を開口して居室内の床面等に設置される筐体２を有する。
【００１８】
筐体２は本体部２０及びカバー部２１を有する。カバー部２１は本体部２０の背面に対して着脱可能に配され、吸込口３を開口する。本体部２０は吹出口４、５をそれぞれ前面上部及び上面に開口する。本体部２０の上面前部には操作パネル３０が配される。
【００１９】
吹出口４、５には風向を可変する風向板１４、１５がそれぞれ設けられる。風向板１４は平板から成り、風向板１４に設けられた回動軸部（不図示）により上下方向に回動可能に支持される。風向板１４の下面には複数の縦ルーバ１４ａが左右方向に並んで垂設される。両側端部の縦ルーバ１４ａは前方へ行くほど左右方向の外方に傾斜している。
【００２０】
風向板１５は平板から成り、風向板１５の前部に設けられた回動軸部１５ｂにより上下方向に回動可能に支持される。風向板１５の下面には複数の縦ルーバ１５ａが左右方向に並んで垂設される。両側端部の縦ルーバ１５ａは後方へ行くほど左右方向の外方に傾斜している。
【００２１】
風向板１４、１５は空気清浄機１の運転停止時にそれぞれ吹出口４、５を閉じ、運転時に吹出口４、５を開く。
【００２２】
筐体２内には吸込口３と吹出口４、５とを連結する空気通路８が設けられる。空気通路８内には吸込口３から吹出口４、５に向かって（気流の上流から下流に向かって）順にプレフィルタ（フィルタ）６、脱臭フィルタ７、集塵フィルタ９、加湿部２００、送風機１０、イオン発生装置１１及びダンパ１２が設けられる。
【００２３】
空気通路８はイオン発生装置１１の下流で分岐する第１分岐通路８ａ及び第２分岐通路８ｂを有する。第１分岐通路８ａ及び第２分岐通路８ｂはそれぞれ吹出口４、５に連通し、第１分岐通路８ａの空気の流路の断面積は第２分岐通路８ｂの空気の流路の断面積よりも小さくなっている。
【００２４】
ダンパ１２は薄板状に形成され、回動軸部１２ａにより上下方向に回動可能に支持される。ダンパ１２は第１分岐通路８ａを閉じた位置（図２参照）から開く方向（図２において、反時計回り方向）に回動することができる。ダンパ１２により第１分岐通路８ａ及び第２分岐通路８ｂの風量バランスが可変される。
【００２５】
送風機１０はモータ１０ａにより駆動されるシロッコファン等の遠心ファンにより形成され、軸方向に吸気して周方向に排気する。
【００２６】
プレフィルタ６はポリプロピレン等のシート状のメッシュにより形成され、吸込口３に面してカバー部２１に配される。プレフィルタ６によって吸気中の大きな塵埃を捕集することができる。
【００２７】
脱臭フィルタ７はハニカム状に形成され、空気中の臭気成分を吸着して空気を脱臭することができる。
【００２８】
集塵フィルタ９はＨＥＰＡフィルタから成り、濾材（不図示）を覆うように枠材（不図示）がホットメルトにより溶着される。集塵フィルタ９によって空気中の微細な塵埃や所定粒径（例えば３μｍ）よりも小さい粒径のＰＭ２．５や花粉等の微小粒子を捕集することができる。
【００２９】
加湿部２０はトレイ２０１、加湿フィルタ２０２及びフロートスイッチ１２０を有している。フロートスイッチ１２０はトレイ２０１の水位を検知し、水位の低下を検知するとタンクからトレイ２０１に給水される。加湿フィルタ２０２はトレイ２０１の水に浸漬される位置と浸漬されない位置とを可動に配される。加湿運転がオンされると加湿フィルタ２０２がトレイ２０１の水に浸漬され、加湿フィルタ２０２を通過する空気が加湿される。加湿運転がオフされると加湿フィルタ２０２がトレイ２０１の水に浸漬されない位置に配され、加湿フィルタ２０２を通過する空気の加湿が行われない。
【００３０】
イオン発生装置１１は高圧電圧の印加によりイオンを発生するイオン発生面１１ａを有し、イオン発生面１１ａは空気通路８内に面している。イオン発生面１１ａには交流波形またはインパルス波形から成る電圧が印加される。イオン発生面１１ａの印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３１】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口４、５から送出することにより居室内の除菌及び臭い除去を行うことができる。
【００３２】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  2・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ'＋ｎ＋ｎ')Ｈ２Ｏ  ・・・（３）
【００３３】
カバー部２１にはプレフィルタ６を清掃する清掃装置４００が設けられる。清掃装置４００は駆動モータ１００の駆動によりプレフィルタ６を上下に移動させ、ブラシ体８０によりプレフィルタ６上の塵埃を除去する。また、除去された塵埃はブラシ体８０の下方に配された容器９２に回収される。
【００３４】
図３は空気清浄機１の構成を示すブロック図である。空気清浄機１は各部を制御する制御部３００を有している。制御部３００には表示部１７、通知部１８、操作部１９、送風機１０、イオン発生装置１１、駆動モータ１００、記憶部１０１、照度センサ１０２、ホコリセンサ１０３、ニオイセンサ１０４、人体検知部１０５、温度センサ１０６、湿度センサ１０７、報知部１０８、通信部１０９、フロートスイッチ１２０が接続される。
【００３５】
制御部３００はＣＰＵやＭＰＵなどの制御プロセッサにより記憶部１０１にあらかじめ格納されている制御プログラムを読み出して実行する。これにより、表示部１７、通知部１８、操作部１９、送風機１０、イオン発生装置１１、駆動モータ１００、通信部１０９、フロートスイッチ１２０の駆動・停止を制御することができる。
【００３６】
記憶部１０１は空気清浄機１の制御プログラムを格納するとともに、制御部３００による演算結果や照度センサ１０２、ホコリセンサ１０３、ニオイセンサ１０４、人体検知部１０５、温度センサ１０６、湿度センサ１０７の検知結果を記憶する。
【００３７】
通信部１０９はＷｉＦｉ規格による無線通信を行う。これにより、パーソナルコンピュータ（不図示）等の外部機器を介して空気清浄機１の入力操作を行うことができる。また、通信部１０９は通信網１１０を介して新しい制御プログラムをダウンロードしてアップデートすることができる。
【００３８】
照度センサ１０２、温度センサ１０６及び湿度センサ１０７は空気清浄機１が設置された室内の照度、温度及び湿度をそれぞれ検知する。
【００３９】
ホコリセンサ１０３は空気中のホコリ密度を検知する。ニオイセンサ１０４は吸込口３の近傍に配され、空気中の臭気成分の濃度（臭気濃度）を検知する。
【００４０】
人体検知部１０５は例えば赤外線センサ、超音波センサ、可視光センサ、カメラ、照度センサ１０２のいずれかから成り、空気清浄機１から所定距離範囲以内の人の存在を検知する。制御部３００は人体検知部１０５から得られる出力に基づいて室内の人の存在を判定する。
【００４１】
報知部１０８はスピーカにより構成され、音声ガイダンスを報知する。
【００４２】
図４は操作パネル３０の平面図を示している。操作パネル３０は通知部１８と操作部１９とを備えている。
【００４３】
通知部１８及び操作部１９はタッチキー３０ａを除いていわゆる発光式の文字表示であり、図形（アイコン）又は文字列を背面に配されたＬＥＤ３４（図５、図６参照）を点灯して浮かび上がらせて表示することができる。また、ＬＥＤ３４を消灯することにより、操作パネル３０上の表示を無くすことができ、意匠性を高めることができる。
【００４４】
通知部１８は複数の通知領域３２ａ〜３２ｇを有し、各領域に配された図形（アイコン）又は文字列が点灯表示されて空気清浄機１の状態が使用者に示される。
【００４５】
操作部１９は複数のタッチキー３０ａ〜３０ｌを有し、使用者の操作によって空気清浄機１の動作設定が行われる。タッチキー３０ａは後述する表面パネル３５（図６）に図形が印刷されて形成され、点灯表示されない。一方、タッチキー３０ｂ〜３０ｌは各操作領域に配された図形（アイコン）又は文字列が点灯表示して使用者の操作入力を受け付ける。
【００４６】
タッチキー３０ｂ〜３０ｅ、タッチキー３０ｈには左上にランプ３１ｂ〜３１ｅ、３１ｈが夫々設けられる。ランプ３１ｂ〜３１ｅ、３１ｈの点灯によりタッチキー３０ｂ〜３０ｅ、タッチキー３０ｈの操作が各々実行されていることを使用者に知らせる。
【００４７】
タッチキー３０ａはスタートキーであり、タッチキー３０ａの操作により、空気清浄機１の運転及び停止を指示する。
【００４８】
タッチキー３０ｂは「しっかり循環おまかせモード」を実行する。タッチキー３０ｂの操作により、「しっかり循環おまかせモード」が開始され、ランプ３１ｂが点灯する。「しっかり循環おまかせモード」では、ホコリセンサ１０３、ニオイセンサ１０４、温度センサ１０６及び湿度センサ１０７の検知結果に基づいて自動で風量を調整しながら湿度が５５％〜６５％になるように加湿運転を行う。
【００４９】
タッチキー３０ｃは「効果実感モード」を実行。タッチキー３０ｃの操作により、「効果実感モード」が開始され、ランプ３１ｃが点灯する。「効果実感モード」では、所定時間、風量を強くするとともに風向板１４、１５を後方に回動して吹出口５から吹出した気流を吸込口３にショートサーキットさせる。これにより、空気清浄機１の周囲の塵埃を吸込口３へ集中的に引き込むことができる。
【００５０】
また、「効果実感モード」では、「効果実感モード」の開始から所定時間経過後、風向板１４、１５を前方に回動してイオン発生装置１１を駆動しながら、前方に気流を吹き出す。これにより、空気清浄機１の前方の消臭・除菌を集中的に行うことができる。
【００５１】
タッチキー３０ｄは「掃除機アシストモード」を実行する。タッチキー３０ｄの操作により、「掃除機アシストモード」が開始され、ランプ３１ｄが点灯する。「掃除機アシストモード」では、所定時間、風向板１４を前方に回動して吹出口４から前方下方に気流を吹出すとともに風向板１５により吹出口５を閉じる。また、加湿を行わずにイオン発生装置１１を駆動しながら、風量を最大に上げる。これにより、気流が空気清浄機１の設置面に向かって吹出され、掃除機の排気で舞い上がった塵埃を設置面に付着するのを防ぐ。
【００５２】
また、「掃除機アシストモード」の開始から所定時間経過後に風向板１５を後方に回動して吹出口５から後方上方に気流を吹出すとともに風向板１４により吹出口４を閉じる。これにより、吹出口５から吹出した気流を吸込口３にショートサーキットさせて掃除機を使用した際に舞い上がったホコリを急速で集塵する。
【００５３】
タッチキー３０ｅは「パワフルショットモード」を実行する。タッチキー３０ｅの操作により、「パワフルショットモード」が開始され、ランプ３１ｅが点灯する。「パワフルショットモード」では、イオン発生装置１１を駆動しながら、風量を強くする。また、風向板１４、１５を前方に回動して吹出口４、５から吹出す気流を前方に向ける。これにより、筺体２の前方に集中して高濃度のプラスイオン及びマイナスイオンを放出し、筺体２の前方に配した対象物に付着した臭いや菌を除去することができる。
【００５４】
タッチキー３０ｆ〜３０ｋは「しっかり循環おまかせモード」、「効果実感モード」、「掃除機アシストモード」又は「パワフルショットモード」とは異なる通常の空気清浄運転が実行されている場合に風向、風量等の設定を行うことができる。
【００５５】
タッチキー３０ｆは風向設定の操作とチャイルドロックの操作とを兼用するキーであり、タッチキー３０ｆを短押しすると、風向板１４、１５の回動位置を所定位置に固定して吹出口４、５から吹出す気流の向きを変更することができる。
【００５６】
また、タッチキー３０ｆを３秒間以上長押しするとチャイルドロックの設定又は解除が実行される。チャイルドロックを設定した場合、通知領域３２ａに配される「鍵マーク」と通知領域３２ｂに配される「チャイルドロック（３秒押し）」の文字が点灯してタッチキー３０ａ〜３０ｋの操作が無効になる。
【００５７】
タッチキー３０ｇは風量を設定する操作とイオン発生装置１１の駆動を設定する操作とを兼用する。タッチキー３０ｇを短押しすると、８パターンの風量を設定することができる。また、タッチキー３０ｇの上方には通知領域３２ｃに６パターンの文字が配されており、設定された風量設定パターンに応じて通知領域３２ｃに配された文字が点灯する。
【００５８】
風量設定パターンは具体的に、「自動」、「花粉」、「おやすみ」、「静音」、「弱」、「中」、「強」、「ターボ」の８パターンであり、タッチキー３０ｇを押すたびに順に風量設定パターンが変更される。風量を「自動」に設定した場合、照度センサ１０２、ホコリセンサ１０３、ニオイセンサ１０４、人体検知部１０５、温度センサ１０６、湿度センサ１０７の検知結果に基づいて風量が自動的に設定される。
【００５９】
また、風量を「花粉」に設定した場合、ホコリセンサ１０３の感度を高く設定し、埃や花粉を素早く検知して「自動」設定よりも風量を上げて室内の花粉及び埃を集塵する。
【００６０】
また、風量を「おやすみ」に設定した場合、照度センサ１０２、ホコリセンサ１０３、ニオイセンサ１０４、温度センサ１０６、湿度センサ１０７の検知結果に基づいて風量が自動的に設定され、「自動」設定よりも風量を下げて、静音で運転する。
【００６１】
また、風量を「静音」、「弱」、「中」、「強」、「ターボ」が設定された場合、順に風量が大きくなる。
【００６２】
また、タッチキー３０ｇを３秒間以上長押しするとイオン発生装置１１の駆動をＯＮ又はＯＦＦに切り替えることができる。イオン発生装置１１の駆動をＯＮにすると、表示部１７の「プラズマクラスターイオンランプ」（不図示）が点灯し、イオン発生装置１１の駆動をＯＦＦにすると、「プラズマクラスターイオンランプ」（不図示）が消灯する。
【００６３】
タッチキー３０ｈは加湿部２００のタンク（不図示）、トレイ２０１及び加湿フィルタ２０２のお手入れ時期通知を設定する操作キーである。タッチキー３０ｈの操作により、加湿部２００のお手入れ時期通知の設定が「ＯＮ」になる。これにより、空気清浄運転の運転時間が積算して所定時間（例えば、７２０時間）を経過するとともにフロートスイッチ１２０が「ＯＮ」の状態にある時間が積算して所定時間（６０分）を経過したときに通知領域３２ｄに配された「加湿お手入れ」の文字が点灯する。これにより、加湿部２００がお手入れ時期であることを使用者に報知する。
【００６４】
また、タッチキー３０ｈを３秒以上長押しすると、「加湿お手入れ」の文字が消灯し、空気清浄運転の積算時間及びフロートスイッチ１２０が「ＯＮ」の状態にある時間の積算時間がリセットされる。
【００６５】
タッチキー３０ｉはプレフィルタ６の自動掃除の設定又は解除を行う操作キーであり、タッチキー３０ｉの操作により、自動掃除を設定すると、表示部１７の「プレフィルタ掃除ランプ」（不図示）が点灯する。また、空気清浄運転の積算時間が所定時間（例えば、４８時間）を経過したときに自動的に清掃装置４００が駆動してプレフィルタ６を掃除する。
【００６６】
また、タッチキー３０ｉの操作により、自動掃除を解除すると、表示部１７の「プレフィルタ掃除ランプ」（不図示）が消灯する。また、空気清浄運転の積算時間が所定時間（例えば、７２０時間）を経過したときに強制的に清掃装置４００が駆動してプレフィルタ６を掃除する。
【００６７】
なお、清掃装置４００が駆動中は空気清浄運転を中止して、タッチキー３０ｉが点滅する。
【００６８】
また、タッチキー３０ｉは容器９２に溜まった塵埃廃棄時期のリセット操作も兼用している。タッチキー３０ｉを３秒間以上長押しすると、容器９２に溜まった塵埃の廃棄時期通知の設定がリセットされる。これにより、リセット後、空気清浄運転の積算時間が所定時間（例えば、４３２０時間）を経過したときに通知領域３２ｅに配された「ごみすて」の文字と通知部３２ｆに配された「リセット（３秒押し）」の文字が点灯する。これにより、容器９２に溜まった塵埃の廃棄時期であることを使用者に報知する。
【００６９】
また、再びタッチキー３０ｉを３秒間以上長押しすると、「ごみすて」の文字と「リセット（３秒押し）」の文字は消灯する。
【００７０】
タッチキー３０ｊは表示部１７の表示切替の操作キーであり、タッチキー３０ｊの操作により、表示部１７に「温度」、「湿度」、「ＰＭ２．５濃度」、「電気代」のいずれかを切り替えて空気清浄機１の周囲の空気の状態を表示することができる。
【００７１】
「温度」は温度センサ１０６により検知された温度（℃）を表示する。「湿度」は湿度センサ１０７により検知された湿度（％）を表示する。「ＰＭ２．５濃度」はホコリセンサ１０３により検知された濃度（μｇ／ｍ３）を表示する。「電気代」は空気清浄運転の運転時間から算出した金額（円）を表示する。
【００７２】
タッチキー３０ｋは音量設定の操作キーであり、タッチキー３０ｋを短押しすると、報知部１０８から報知される音声ガイダンスの音量を変更することができる。また、タッチキー３０ｋを３秒以上長押しすると、音声ガイダンスの「ＯＮ」と「ＯＦＦ」とを切り替えることができる。音声ガイダンスが「ＯＮ」に設定されたとき、通知領域３２ｇの「音量（３秒押し）」の文字が点灯する。また、音声ガイダンスが「ＯＦＦ」に設定されたとき、通知領域３２ｇの「音量（３秒押し）」の文字が消灯する。
【００７３】
タッチキー３０ｌは通信部１０９による通信可否を指示する通信キーであり、タッチキー３０ｌを３秒以上長押して、通信可否を切り替えることができる。また、通信部１０９が通信可能な状態にあるとき、表示部１７の「コネクトランプ」（不図示）が点灯し、通信部１０９が通信不能な状態にあるとき、「コネクトランプ」は消灯する。
【００７４】
図５は操作パネルの通知領域を示す側面断面図である。なお、通知領域３２ａ〜３２ｇは同様の構造を有しており、代表して通知領域３２ａについて説明する。通知領域３２ａは基板３３と、ＬＥＤ３４と表面パネル３５とを備えている。基板３３はプリント配線基板であり、上面にＬＥＤ３４を実装する。また、表面パネル３５はＬＥＤ３４の上方に配されている。
【００７５】
表面パネル３５は拡散部材３５ａと、遮光部材３５ｂと、透光部材３５ｃとを備え、拡散部材３５ａと透光部材３５ｃとの間に遮光部材３５ｂが配されている。
【００７６】
拡散部材３５ａは入射する光を拡散させて表面パネル３５を透過する光の輝度の偏り（輝度むら）を抑制する。
【００７７】
遮光部材３５ｂは黒色に着色されており、ＬＥＤ３４から出射された光を遮断する。遮光部材３５ｂは通知領域３２ａに配される図形又は文字列を形成するスリット３５ｄが開口している。
【００７８】
透光部材３５ｃは表面パネル３５の最上面に配され、遮光部材３５ｂを保護している。透光部材３５ｃはガラス、アクリル樹脂、ポリカーボネイト樹脂等の光の透過率が高い材料で形成されている。透光部材３５ｃは透明材料から成り、表面パネル３５を外側から見たときに遮光部材３５ｂの黒色に見える。
【００７９】
ＬＥＤ３４を点灯すると、通知領域３２ａ内のスリット３５ｄを光が通過してスリット３５ｄ以外の部分は遮光部材３５ｂで光が遮断される。これにより、スリット３５ｄを通過する光によって図形及び文字が浮かび上がって見える。
【００８０】
一方、ＬＥＤ３４を消灯するとスリット３５ｄは下方から上方に透過する光が無いため通知領域３２ａの表示を無くすことができる。
【００８１】
図６は操作パネルのタッチキーを示す側面断面図である。なお、タッチキー３０ｂ〜３０ｌは同一の構造を有しており、代表してタッチキー３０ｂについて説明する。タッチキー３０ｂは基板３３と、ＬＥＤ３４と、表面パネル３５と、静電センサ３６と、導電部材３７と、レンズ３８と、固定部材３９とを備えている。
【００８２】
なお、表面パネル３５は通知領域３２ａと共通の構成であり、説明を省略する。タッチキー３０ｂもＬＥＤ３４の点灯により、スリット３５ｄを通過する光によって図形及び文字が浮かび上がって見える。
【００８３】
レンズ３８はＬＥＤ３４の上方に配され、ＬＥＤ３４から出射された光の照射範囲を拡大する。
【００８４】
固定部材３９はレンズ３８を固定する。固定部材３９はすり鉢状の貫通孔３９ａを有しており、貫通孔３９ａの傾斜面３９ｂにレンズ３８の下面を接触させてレンズ３８を保持している。また、固定部材３９は表面パネル３５に固定されている。
【００８５】
静電センサ３６は円環状であり、ＬＥＤの周囲を囲んで基板３３に実装されている。また、静電センサ３６とレンズ３８及び静電センサ３６と固定部材３９との間には導電部材３７が配されている。
【００８６】
静電センサ３６は蓄積された電荷を検知するセンサである。静電センサ３６は、表面パネル３５に接触する使用者の指と導電部材３７とでコンデンサを構成し、コンデンサに蓄積される電荷を検知する。つまり、コンデンサに蓄積される静電容量の変化を検知して、使用者の指の表面パネル３５への接触又は離間を検出する。静電センサ３６が使用者の接触を検出したときに制御部３００がタッチパネル３０ｂの操作が行われたと判定する。
【００８７】
また、タッチキー３０ａはタッチキー３０ｂと同様に基板３３と、表面パネル３５と、静電センサ３６と、導電部材３７と、固定部材３９とを備えているが、ＬＥＤ３４及びレンズ３８を備えていない。また、表面パネル３５にはスリット３５ｄが設けられていない。透光部材３５ｃの下面に図形（アイコン）が印刷されている。それ以外はタッチキー３０ａもタッチキー３０ｂと同一の構成から成る。
【００８８】
また、タッチキー３０ａは印刷表示されており、空気清浄機１の電源がＯＮであるかＯＦＦであるかにかかわらず、操作パネル３０上に常に表示される。このため、空気清浄機１の電源がＯＮである場合、空気清浄機１の運転を容易に開始又は停止することができ利便性が向上する。
【００８９】
図７は操作パネルの表示パターンを示す平面図であり、人体検知部１０５が人の存在を検知しない状態を示している。また、点灯表示されたタッチキー３０ｌを実線で示し、印刷表示されたタッチキー３０ａは破線で示す。
【００９０】
人体検知部１０５が人の存在を検知しない場合、制御部３００は空気清浄機１の周囲に操作部１９を操作する人がいないと判定する。このとき、制御部３００はタッチキー３０ｂ〜３０ｋ（第１群のタッチキー）のＬＥＤ３４及び通知部１８のＬＥＤ３４（表示用光源）を全て消灯し、タッチキー３０ｌ（第２群のタッチキー）のＬＥＤ３４のみを点灯する。
【００９１】
これにより、使用者は点灯表示されたタッチキー３０ｌと印刷表示されたタッチキー３０ａを認識することができる。このため、使用者は空気清浄機１の運転を容易に開始又は停止することができ利便性が向上する。また、第１群のタッチキー３０ｂ〜３０ｋのＬＥＤ３４を消灯して消費電力を低減することができる。また、操作パネル３０表面にタッチキー３０ｂ〜３０ｋの表示を無くして意匠性を高めることができる。
【００９２】
また、人体検知部１０５が人の存在を検知した場合、制御部３００は空気清浄機１の周囲に操作部１９を操作する人がいると判定する。このとき、制御部３００は「しっかり循環おまかせモード」、「効果実感モード」、「掃除機アシストモード」又は「パワフルショットモード」のいずれかが実行されている場合、実行されているモードのタッチキー３０ｂ〜３０ｅとランプ３１ｂ〜３１ｅとを点灯させる。
【００９３】
一方、「しっかり循環おまかせモード」、「効果実感モード」、「掃除機アシストモード」又は「パワフルショットモード」のいずれのモードも実行されておらず、通常の空気清浄運転が実行されている場合、制御部３００はタッチキー３０ｂ〜３０ｋのＬＥＤ３４を全て点灯する。これにより、使用者は操作部１９のタッチキー３０ａ〜３０ｋを正確に視認していずれかの操作をおこなうことができる。
【００９４】
また、人体検知部１０５が人の存在を検知した場合、通知部１８の通知領域３２ａ〜３２ｇに対応するＬＥＤ３４も点灯する。これにより、人が空気清浄機１の筐体２に対して所定範囲内に無い場合に、通知部１８は見られないと判定し、通知部１８のＬＥＤ３４を消灯して消費電力をより低減することができる。
【００９５】
また、点灯されたタッチキー３０ｂ〜３０ｌを使用者が操作した際に、ＬＥＤ３４の光源が増加する。これにより、使用者は所定のタッチキー３０ｂ〜３０ｌの操作が実行されていることを認識でき、利便性を向上することができる。
【００９６】
また、タッチキー３０ｆ〜３０ｉ及びタッチキー３０ｋは短押し時と異なる機能を長押し時に割り当てられている。タッチキー３０ｆ〜３０ｉ及びタッチキー３０ｋのいずれかを３秒以上長押ししたとき対応するＬＥＤ３４が点滅する。これにより、使用者は長押し操作が実行されていることを認識でき、利便性を向上することができる。
【００９７】
また、タッチキー３０ａを操作して通常の空気清浄運転が開始されると、吸込口３から居室内の空気が吸い込まれて送風通路８を流通する。この時、プレフィルタ６により空気中に大きな塵埃が捕集される。また、脱臭フィルタ７により空気が脱臭され、集塵フィルタ９により空気中の微細な塵埃やＰＭ２．５、花粉等の微小粒子が捕集される。
【００９８】
そして、イオン発生装置１１により発生したイオンが空気に含まれる。イオンを含んだ空気は吹出口４、５の一方または両方から居室内に吹き出される。これにより、空気清浄機１の送風動作が行われ、居室内の空気清浄が行われる。
【００９９】
また、所定の時期になると、清掃装置４００が駆動されて清掃装置４００による清掃動作が開始される。
【０１００】
清掃装置４００が駆動されると駆動モータ１００が回転し、プレフィルタ６を上下に移動させブラシ体８０がプレフィルタ６を摺動する。これにより、プレフィルタ６上の塵埃が除去され、塵埃は容器９２内に集塵される。
【０１０１】
駆動モータ１００の回転量が所定値に到達すると、駆動モータ１００が停止される。以上により、清掃装置４００による清掃動作が終了する。
【０１０２】
清掃装置４００による清掃動作の終了後に、使用者は集塵部９０をカバー部２１から取り外し、容器９２に溜まった塵埃を廃棄することができる。
【０１０３】
本実施形態によると、複数のタッチキー３０ｂ〜３０ｌ及び各タッチキー３０ｂ〜３０ｌに対応する複数のＬＥＤ３４（光源）を有した操作パネル３０において、筐体２に人の有無を検知する人体検知部１０５を設け、所定の第１群のタッチキー３０ｂ〜３０ｋのＬＥＤ３４が人体検知部１０５により人を検知しないときに消灯して人を検知したときに点灯する。これにより、人が空気清浄機１の筐体２に対して所定範囲内に無い場合に、第１群のタッチキー３０ｂ〜３０ｋのＬＥＤ３４を消灯して消費電力を低減することができる。
【０１０４】
また、第１群と異なる第２群のタッチキー３０ｌのＬＥＤ３４が常時点灯し、タッチキー３０ｌは無線通信を行う通信部１０９による通信可否を指示する通信キーである。これにより、タッチキー３０のＬＥＤ３４が常時点灯するにより、空気清浄運転が停止されている場合においてもタッチキー３０ｌを操作して容易に通信可否の設定を行うことができ、利便性が向上する。
【０１０５】
また、ＬＥＤ３４が点灯したタッチキー３０ｂ〜３０ｌが操作された際に、ＬＥＤ３４の光量を増加させることにより、使用者は所定のタッチキー３０ｂ〜３０ｌの操作が実行されていることを認識でき、利便性を向上することができる。
【０１０６】
また、タッチキー３０ｆ〜３０ｉ及びタッチキー３０ｋは短押し時と異なる機能を長押し時に割り当てられている。タッチキー３０ｆ〜３０ｉ及びタッチキー３０ｋのいずれかを長押ししたとき対応するＬＥＤ３４が点滅する。これにより、使用者は長押し操作が実行されていることを認識でき、利便性を向上することができる。
【０１０７】
また、操作パネル３０がＬＥＤ３４（表示用光源）の点灯により表示される通知部１８を有し、通知部１８のＬＥＤ３４が人体検知部１０５により人を検知しないときに消灯して人を検知したときに点灯する。これにより、人が空気清浄機１の筐体２に対して所定範囲内に無い場合に、通知部１８のＬＥＤ３４を消灯して消費電力をより低減することができる。
【０１０８】
＜第２実施形態＞
次に、本発明の第２実施形態について説明する。図８は本実施形態の空気清浄機の操作パネルの平面図である。説明の便宜上、前述の図１〜７に示した第１実施形態と同様の部分には同一の符号を付している。本実施形態では、操作部１９にタッチキー３０ｍが設けられている点が第１実施形態とは異なっている。その他の部分は第１実施形態と同様である。
【０１０９】
タッチキー３０ｍはメニュー表示を行う操作キーであり、タッチキー３０ｍの操作により、「しっかり循環おまかせモード」、「効果実感モード」、「掃除機アシストモード」又は「パワフルショットモード」のいずれかが実行されている場合、実行されているモードのタッチキー３０ｂ〜３０ｅとランプ３１ｂ〜３１ｅとを点灯させる。
【０１１０】
一方、「しっかり循環おまかせモード」、「効果実感モード」、「掃除機アシストモード」又は「パワフルショットモード」とは異なる通常の空気清浄運転が実行されている場合、使用者がタッチキー３０ｌをタッチすると、制御部３００はタッチキー３０ｂ〜３０ｋのＬＥＤ３４を全て点灯する。
【０１１１】
これにより、使用者は点灯したタッチキー３０ｂ〜３０ｋから所定の操作を行って空気清浄機１の動作設定を行う。また、タッチキー３０ｍの操作から所定時間（１０秒）経過後、タッチキー３０ｂ〜３０ｋの操作がない場合に、タッチキー３０ｂ〜３０ｋを全て消灯する。
【０１１２】
図９は空気清浄機の操作パネルの表示パターンを示す平面図であり、人体検知部１０５が人の存在を検知した状態を示している。また、点灯表示されたタッチキー３０ｌ、３０ｍを実線で示し、印刷表示されたタッチキー３０ａは破線で示す。
【０１１３】
人体検知部１０５が人の存在を検知した場合、制御部３００は第１群のタッチキー３０ｍのＬＥＤ３４のみを点灯する。これにより、人体検知部１０５が人の存在を検知した場合でも使用者がタッチキー３０ｌをタッチしなければ、通知部１８及び操作部１９を点灯表示しない。これにより、人体検知部１０５が人の存在を検知した場合に点灯するＬＥＤ３４の数を減らして消費電力をより低減することができる。
【０１１４】
本実施形態によると、第１群のタッチキー３０ｍの操作によりＬＥＤ３４が点灯される第３群のタッチキー３０ｂ〜３０ｋを有することにより、人体検知部１０５が人の存在を検知した場合に点灯するＬＥＤ３４の数を減らして消費電力をより低減することができる。
【０１１５】
＜第３実施形態＞
次に、本発明の第３実施形態について説明する。図１０は本実施形態の空気清浄機の操作パネルの表示パターンを示す平面図であり、人体検知部が人の存在を検知しない状態を示している。また、点灯表示されたタッチキー３０ａ、３０ｌを実線で示す。説明の便宜上、前述の図１〜図７に示した第１実施形態と同様の部分には同一の符号を付している。本実施形態では、タッチキー３０ａが点灯表示され、タッチキー３０ａが第２群のタッチキーに含まれることが第１実施形態とは異なっている。その他の部分は第１実施形態と同様である。
【０１１６】
タッチキー３０ａはＬＥＤ３４を有し、ＬＥＤ３４が点灯するとスリット３５ｄを通過する光によってタッチキー３０ａの図形（アイコン）が浮かび上がって見える。人体検知部１０５が人の存在を検知しない場合、制御部３００は操作パネル３０のタッチキー３０ｂ〜３０ｌ（第１群のタッチキー）のＬＥＤ３４を消灯し、タッチキー３０ａ、３０ｍ（第２群のタッチキー）のみが点灯している。
【０１１７】
これにより、空気清浄機１が設置された室内が暗く印刷表示が見難い場合においても、使用者は常時点灯表示されたタッチキー３０ａの位置を正確に把握することができる。このため、使用者は空気清浄機１の運転を容易に開始又は停止することができ利便性が向上する。
【０１１８】
なお、タッチキー３０ａは点灯表示と印刷表示とを組み合わせてもよい。これにより、空気清浄機１が設置された室内の明るさに関係なく使用者はタッチキー３０ａの位置を正確に把握することができる。これにより、空気清浄機１の運転を容易に開始又は停止することができ利便性が向上する。
【０１１９】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。例えば、タッチキー３０ａ〜３０ｍは静電容量方式以外の抵抗膜方式、電磁誘導方式を用いてもよい。
【０１２０】
また、第１群のタッチキー及び第３群のタッチキーはタッチキー３０ｂ〜３０ｋの全てである必要はなくタッチキー３０ｂ〜３０ｋのいずれかを任意に選択してもよい。また、第２群のタッチキーを全て印刷表示にしてもよい。この場合、使用者は常時点灯表示されたタッチキーと同様に印刷表示されたタッチキーの位置を正確に把握することができる。
【０１２１】
また、第１群のタッチキー及び第３群のタッチキーに対応するＬＥＤ３４（光源）又は通知部１８のＬＥＤ３４（表示用光源）は、人体検知部１０５が人の存在を検知した場合に点滅してもよい。
【０１２２】
例えば、イオン発生装置１１の交換時期、プレフィルタ６の清掃装置４００による清掃が必要な時期、容器９２に溜まった塵埃の廃棄時期、又はトレイ２０１及び加湿フィルタ２０２のお手入れ時期を知らせる際にタッチキーに対応するＬＥＤ３４又は通知部１８のＬＥＤ３４を点滅させることにより、使用者により注意を促すことができる。
【０１２３】
また、第１群〜第３群のタッチキーの光源は各タッチキーの直下に配されるＬＥＤ３４に限定されない。例えば、第１群〜第３群のタッチキーの周辺に設けられた光源をタッチキーに対応する光源として設けてもよい。この場合、人体検知部１０５が人の存在を検知した場合にタッチキーの周辺に設けられた光源が点灯又は点滅することにより、使用者は点灯又は点滅している光源に基づいて事前に把握しているタッチキーの配置から所定のタッチキーを選択して操作することができる。
【産業上の利用可能性】
【０１２４】
本発明は使用者の指等の接触で入力を行うタッチキーを備えた空気清浄機に利用することができる。
【符号の説明】
【０１２５】
１      空気清浄機
２      筐体
３      吸込口
４、５  吹出口
６      プレフィルタ(フィルタ)
７      脱臭フィルタ
８      空気通路
８ａ    第１分岐通路
８ｂ    第２分岐通路
９      集塵フィルタ
１０    送風機
１０ａ  モータ
１１    イオン発生装置
１２    ダンパ
１２ａ  回転軸部
１４、１５    風向板
１７    表示部
１８    通知部
１９    操作部
２０    本体部
２１    カバー部
２２    押え部材
３０    操作パネル
３２ａ〜３２ｇ    通知領域
３０ａ〜３０ｍ    タッチキー
３４    ＬＥＤ
３５    表面パネル
３５ａ  拡散部材
３５ｂ  遮光部材
３５ｃ  透光部材
３５ｄ  スリット
３６    静電センサ
３７    導電部材
３８    レンズ
３９    固定部材
８０    ブラシ体
９２    容器
１００    駆動モータ
１０１    記憶部
１０２    照度センサ
１０３    ホコリセンサ
１０４    ニオイセンサ
１０５    人体検知部
１０６    温度センサ
１０７    湿度センサ
１０８    報知部
１０９    通信部
１１０    通信網
１２０    フロートスイッチ
２００    加湿部
２０１    トレイ
２０２    加湿フィルタ
３００    制御部
４００    清掃装置
【図１】
2018189924.tif 000003
【図２】
2018189924.tif 000004
【図３】
2018189924.tif 000005
【図４】
2018189924.tif 000006
【図５】
2018189924.tif 000007
【図６】
2018189924.tif 000008
【図７】
2018189924.tif 000009
【図８】
2018189924.tif 000010
【図９】
2018189924.tif 000011
【図１０】
2018189924.tif 000012
【国際調査報告】
2018189924.tif 000013
2018189924.tif 000014
2018189924.tif 000015
2018189924.tif 000016